(57)【特許請求の範囲】
【請求項１】
販売商品が販売される機体内に、該販売商品以外の景品等の非販売商品を収納する非販売商品収納機構と、該非販売商品収納機構に収納された前記該非販売商品を１個づつ取出し搬出する非販売商品搬出機構とを組み込み、前記販売商品の購入時に、予め設定された確率で「当たり」と判断して前記該非販売商品収納機構の非販売商品を前記機体の非販売商品取出口に搬出してなる自動販売機において、前記非販売商品の品切れ後の前記販売商品の販売数を計数し、該商品販売数の計数値に基づいて非販売商品補充後の確率を変動させてなることを特徴とする自動販売機。
【請求項２】
前記非販売商品補充後の変動確率に上限値を設定してなることを特徴とする請求項１に記載の自動販売機。
【請求項３】
前記非販売商品補充後の確率を最初の「当たり」が判断されたときに元の設定値に戻すことを特徴とする請求項１または２に記載の自動販売機。
【請求項４】
前記非販売商品補充後の確率が上限値に達した状態でも、前記商品収納機構の非販売商品の品切れが続くときに、その品切れ時の前記販売商品の販売数に応じて変動確率での当たり回数を増加することを特徴とする請求項１，２または３に記載の自動販売機。
【発明の詳細な説明】
【０００１】
【発明の属する技術分野】
本発明は、例えばコーヒやジュース、あるいは清涼飲料などの商品の自動販売に用いられる自動販売機に関し、更に詳しくは、例えば景品等の販売商品以外の非販売商品を販売商品の販売と共に適宜の確率で搬出するようにしてなる自動販売機に関するものである。
【０００２】
【従来の技術】
飲料メーカでは、消費者の購買意欲が高められるようにして自動販売機での商品拡販を図るために、従来、例えば缶入りジュース等の缶商品の表面に「ポイントカード」を貼り付けたり、機体内に収納される缶商品に「当たりシール」をランダムに貼り付けるなどして、「ポイントカード」の総点数や「当たりシール」に応じた景品を別途にプレゼントしサービスする手法が採られている。
【０００３】
また従来、例えばコーヒ等のカップ式自動販売機では、機体内にセットされるカップの間に、「当たりマーク」が付けられたカップをランダムに入れ、販売時に、この「当たりマーク」付きのカップが出ると、購買者は、そのカップのマーク部分を切り取って、応募用葉書に貼り付けたり、封筒に入れて投函し応募したり、あるいは、「当たりカップ」を店に持ちこむことにより、景品が貰えるようにしてなる手法を採っているものもある。
【０００４】
さらに従来、このような各手法の他に、購買者が自動販売機で商品を購入した際、適宜の確率で購入金額と同額の金銭を購買者に返却するという、所謂「キャッシュバック」方式と称される手法も提案されている。
【０００５】
【発明が解決しようとする課題】
しかしながら、上記したような従来の消費者の購買意欲を高める手法、例えば商品に「ポイントカード」や「当たりシール」を貼り付ける手法では、飲料メーカ側にとって非常な手間が掛かり、作業が面倒であるばかりでなく、経費も高付いて採算性に劣る。
【０００６】
また、「当たりマーク」付きのカップによる手法では、購買者側にとって応募することによる面倒な手間が掛かるために、高価な景品以外は拒絶反応を示され易く、商品の拡販効果がない。
【０００７】
さらに、「キャッシュバック」方式による手法では、返却される金額が少ないために、購買者の興味が殺がれ易く、商品の拡販効果が少ない。
【０００８】
そこで、本出願人が先に平成１０年１０月２８日付けで出願した特願平１０−３０７２５７号に記載の発明のように、販売商品の購入時に、販売商品以外の限定されたオリジナル商品からなる景品（非販売商品）、例えばキャラクタがあしらわれた小人形やワッペン、あるいはバッジ等の購買者が喜びそうな小物類を、容易に開封できる透明または半透明の合成樹脂等からなる箱状外装体にて包装した景品を、予め設定された当たり確率に基づいて販売商品と共に搬出（プレゼント）することにより、商品の拡販効果を高めるようにしてなる景品付きカップ式自動販売機が提案されている。
【０００９】
このような先願発明のカップ式自動販売機における景品の搬出制御は、図１０のフローチャートで示すように、「＃１」の待機状態において、まず、例えば機体のコイン投入口へのコインの投入の有無、すなわち「コイン投入有りか？」が確認される。次いで、セレクションボタン（商品選択ボタン）の操作、すなわち「セレクションボタンＯＮか？」が確認される。セレクションボタンがＯＮ、すなわち商品販売操作が行われると、景品のプレゼントの設定が有るか否かの判断、すなわち「景品設定有りか？」の判断がなされる。
【００１０】
「景品設定」が有る場合には、景品収納機構に景品がストックされているか否か、すなわち「景品売り切れ信号ＯＦＦか？」が確認される。景品の売り切れ信号がＯＦＦで景品収納機構に景品がストックされていると、景品の当たり確率の設定、すなわち「当たり確率計算」が行われる。そして、この当たり確率に基づいて「当たり」か「はずれ」か否かの判断、すなわち「当たりか？」の判断がなされる。
【００１１】
ここで、「当たり」と判断されると、その当たり信号がディスプスレープを介して景品搬出機構に出力されて景品の搬出が行われると同時に、販売商品の販売開始が行われる。この販売商品の「販売開始」の状態は、「ベンドスレープ」にて制御されているもので、販売商品の販売が「終了」の判断、すなわち「販売終了か？」が確認されると、初期の「＃１」の待機状態に移行するように制御されている。
【００１２】
ところが、このような景品付きカップ式自動販売機にあっては、「景品設定有りか？」、「景品売り切れ信号ＯＦＦか？」及び「当たりか？」のそれぞれの段階で「ＮＯ」と判断されると、販売商品の「販売開始」の段階に移行するように制御されているために、販売商品の購入時に、機体内にストックされたオリジナル景品の品切れが発生していると、その品切れの間に購入した購買者には、景品の当たる機会がなくなる。
【００１３】
しかも、景品補充後も確率が同じで変動がなく、例えばキャンペーン期間中、購買者が景品補充後の高い確率を期待して再購入しても、景品の品切れ時の販売商品の販売数に応じた「当たり」の確率が上がらないために、購買者に「当たりが悪い」という不満を呼び易く、却って、商品のキャンペーン効果をなくすることがある。
【００１４】
本発明は、上記した事情に鑑みてなされたもので、景品の品切れによる景品補充後の確率に変動を持たせ、商品拡販を図るための消費者の購買意欲が興味をもって大いに高められるようにした自動販売機を提供することを目的とする。
【００１５】
【課題を解決するための手段】
上記した課題を解決するために、本願発明の請求項１に記載の発明は、販売商品が販売される機体内に、該販売商品以外の景品等の非販売商品を収納する非販売商品収納機構と、該非販売商品収納機構に収納された前記該非販売商品を１個づつ取出し搬出する非販売商品搬出機構とを組み込み、前記販売商品の購入時に、予め設定された確率で「当たり」と判断して前記該非販売商品収納機構の非販売商品を前記機体の非販売商品取出口に搬出してなる自動販売機において、前記非販売商品の品切れ後の前記販売商品の販売数を計数し、該商品販売数の計数値に基づいて非販売商品補充後の確率を変動させてなることを特徴とする。
【００１６】
請求項２に記載の発明は、請求項１に記載の発明において、前記非販売商品補充後の変動確率に上限値を設定してなることを特徴とする。
【００１７】
請求項３に記載の発明は、請求項１または２に記載の発明において、前記非販売商品補充後の確率を最初の「当たり」が判断されたときに元の設定値に戻すことを特徴とする。
【００１８】
請求項４に記載の発明は、請求項１，２または３に記載の発明において、前記非販売商品補充後の確率が上限値に達した状態でも、前記商品収納機構の非販売商品の品切れが続くときに、その品切れ時の前記販売商品の販売数に応じて変動確率での当たり回数を増加することを特徴とする。
【００１９】
すなわち、本発明に係る自動販売機によれば、販売商品の購入時に、景品を予め設定された確率で搬出するようにするとともに、景品の品切れによる景品補充後の確率を変動させるようにしてなるために、従前のような購買者の不満を解消させることが可能になり、これによって、消費者の購買意欲が大いに高められ、商品の拡販が図れる。
【００２０】
【発明の実施の形態】
以下、本発明の実施の形態を図１から図９に示す図面を参照しながら詳細に説明する。図１は本発明に係る自動販売機、例えばカップ式自動販売機の全体構成を概略的に示すものであり、符号１は機体、２は機体１の前面に開閉可能に設けた扉である。
【００２１】
この扉２の前面２ａ側上半部には、商品展示室３が設けられていて、この商品展示室３には、複数個の販売商品の見本商品Ｓが左右に整列状態で上下に複数段に陳列されているとともに、これら各々の見本商品Ｓに対応する商品展示室３の前面には、商品選択ボタン４がそれぞれ配置されている。
【００２２】
また、扉２の前面２ａ側中間部には、一方の片側にコイン投入口等の金銭投入口５Ａ及び投入金額表示器５Ｂが配置され、その前面２ａ側下部には、釣銭返却口６が配置され、その前面２ａ側略中央部には、販売商品Ｓの商品取出口７がそれぞれ配置されている。
【００２３】
さらに、扉２の前面２ａ側中間部の他方の片側には、後述する当たり確率に基づいて景品（非販売商品）Ｗが搬出される景品取出口（非販売商品取出口）８が配置され、この景品取出口８の近傍、例えば、その上部には、景品の「当たり」を点滅表示にて認識可能にするランプ（表示器）９が設けられている。
【００２４】
なお、本発明に係る自動販売機の図示の実施形態において、機体１に内蔵される通常の販売商品Ｓの商品販売機構等は、従前と同様の構成であるために、その説明は省略する。
【００２５】
そして、図２に示すように、扉２の裏面２ｂ側には、箱状外装体にて包装された複数個の景品Ｗが収納される景品収納機構（非販売商品収納機構）１０が設けられている。この景品収納機構１０は、図３に示すように、扉２の裏面２ｂ側に配置固定される背面側が開放する横断面コ字状のアウターケース１１と、このアウターケース１１内に背面側から組付け嵌合状態で装填される景品ストック用ストッカ２０とで形成されている。このストッカ２０の下端は、軸Ｏを介してアウターケース１１に対して後方Ｘに傾倒回動可能に軸支されている。
【００２６】
ストッカ２０は、左右両側壁面を形成する側面板２１と、これらの側面板２１間の内底面を形成する底板２２と、その背面側に設けたガイド部材２３と、左右両側面板２１間の上端側に架橋させて設けた取手兼用組板２４との枠組み構造体にて形成してなる形態を有する。
【００２７】
また、ストッカ２０の底板２２には、スプリング２５の下端２５ａが固定されていて、このスプリング２５は、ガイド部材２３にて伸縮方向に案内保持されるようになっているもので、例えば図３に示すようなスプリング２５の伸長状態、あるいは、図４に示すような景品Ｗのストック時のスプリング２５の縮小状態における挫屈を防止し、これによって、安定した伸縮動作を可能にしている。
【００２８】
さらに、ストッカ２０内には、ガイド部材２３にて昇降自在に案内されるプッシヤ（景品押上げ部材）２６が設けられていて、このプッシヤ２６は、スプリング２５の付勢力によって常に上昇方向Ｙに付勢されている。プッシヤ２６の左右両側部には、ガイドピン２７Ａが突出させて設けられ、その背面部側には、ノブ２７Ｂがそれぞれ突出させて設けられている。
【００２９】
プッシヤ２６に突出させたガイドピン２７Ａは、ストッカ２０の側面板２１に設けたガイド孔２８と、このガイド孔２８に対応させてアウターケース１１の側板１２に設けたスリット１３とに係合されている。一方、ノブ２７Ｂは、ストッカ２０への景品Ｗの補充時に、プッシヤ２６をスプリング２５の付勢力に抗して下降操作させるときに用いられるようになっている。
【００３０】
アウターケース１１のスリット１３は、後述するように、ストッカ２０の後方Ｘへの傾倒回動を抑止する抑止手段を構成してなるもので、垂直辺部１４と、この垂直辺部１４の上端頂部１４ａから斜め後方に向けて傾斜する傾斜辺部１５との略縦長三角形状の切込み形態を有する。
【００３１】
すなわち、スリット１３の垂直辺部１４は、図４に示す景品Ｗがストックされたストッカ２０のアウターケース１１への装填状態で、プッシヤ２６のガイドピン２７Ａをガイド孔２８と共に上昇案内してなる一方、図３に２点破線で示すように、景品Ｗの空状態におけるストッカ２０を後方Ｘに向け傾倒回動させてアウターケース１１への装填状態から開放する際、その上端頂部１４ａに最上昇位置にあるプッシャ２６のガイドピン２７Ａが係止することにより、ストッカ２０のそれ以上の後方Ｘへの傾倒回動を抑止するようになっている。
【００３２】
そして、図３に示すストッカ２０の空状態で、ノブ２７Ｂをスプリング２５の付勢力に抗して押し下げてプッシヤ２６を下降させると、プッシヤ２６のガイドピン２７Ａがスリット１３の傾斜辺部１５に沿って案内され、このプッシヤ２６の下降動作に追従してストッカ２０が徐々に後方Ｘに向け傾倒回動可能になっている。
【００３３】
また、プッシャ２６のガイドピン２７Ａは、図５に示すように、その最下降位置でスリット１３の傾斜辺部１５の最下端１５ａに係止し、これにより、ストッカ２０のそれ以上の傾倒回動を抑止すると同時に、スプリング２５の付勢力によるプッシャ２６の上昇動作を抑止するようになっているもので、このようなストッカ２０の傾倒状態で、景品Ｗがストッカ２０に補充されるようになっているものである。
【００３４】
さらに、スリット１３の傾斜辺部１５は、図４に示すように、景品補充後のストッカ２０の前方への回動復帰動作でプリング２５の付勢力によるプッシャ２６の上昇動作を開放し、図示しないロック機構にてアウターケース１１にロックされて装填状態が維持されるようになっている。
【００３５】
さらにまた、ストッカ２０の側面板２１の上端には、係止爪２９が内側に突出させて設けられていて、この係止爪２９は、図４及び図５に示すように、景品ストック状態における最上段の景品Ｗの飛び出しを防止するようになっているものである。
【００３６】
そしてまた、景品収納機構１０の上部には、景品搬出機構（非販売商品搬出機構）３０が配置されていて、この景品搬出機構３０は、図６に示すように、プーリ３１，３２，３３間に掛け渡された無端ベルト３４を有する。この無端ベルト３４上には、複数のプッシャ片３５が景品Ｗの押出し長さに応じ所定の間隔を存して突設されているとともに、駆動モータ３６に連動する駆動プーリ３７の回転にて無端ベルト３４を走行駆動させるようになっている。
【００３７】
すなわち、景品搬出機構３０は、無端ベルト３４の下部水平走行部３４ａを景品収納機構１０にストックされた最上段の景品Ｗに対向位置させて配置してなるもので、販売商品Ｓの販売時、景品Ｗの「当たり」による当たり信号が出力されると、駆動モータ３６の駆動にて無端ベルト３４を回転走行させることにより、プッシャ片３５にて景品収納機構１０のストッカ２０からスプリング２５を介してプッシャ２６にて弾性的に押し上げられて来る最上段の景品Ｗを背後から扉２の景品取出口８に向け１個づつ押し出すように搬出させるようになっているものである。
【００３８】
このとき、景品搬出機構３０にて押し出された景品Ｗは、その先端側の一部が後述する景品姿勢安定機構４０にて扉２の景品取出口８から突出する状態を箱サイズに応じて一時的に弾性的に挾持することにより安定保持されるようになっている。
【００３９】
この景品Ｗの突出状態は、図示しない検知センサによって検知されて、扉２の景品取出口８の上部に設置したランプ９を点灯または点滅させることにより、購買者に認知し易いようにして注意を喚起し、景品Ｗの取り忘れを防止するようになっているもので、この扉２の景品取出口８から突出する景品Ｗの先端側を購買者が掴んで引く抜くことにより、景品Ｗの取り出しが行われる。
【００４０】
景品姿勢安定機構４０は、図７に示すように、景品搬出機構３０の景品Ｗの押出し側に設けられている。この景品姿勢安定機構４０は、図６に示す景品Ｗの上面を弾性的に押え込み状態で保持する板バネ４１と、景品Ｗの相対向する左右両側面部の２面を弾性的に挾持するように互いに対峙させて配置してなる左右方向に所定のストロークを有して移動可能な左右一対のガイド板４２，４２と、これら各々のガイド板４２，４２を対面方向に左右均等な付勢力にて付勢するスプリング４３，４３とで構成される景品挾持手段を備えている。
【００４１】
また、各々のガイド板４２，４２は、それらの前辺部４２ａ，４２ａ側を互いに平行に対峙させてなる一方、それらの後辺部４２ｂ，４２ｂ側を「く」の字状に拡開させてなる形態を有する。
【００４２】
すなわち、景品姿勢安定機構４０の板バネ４１は、景品搬出機構３０の駆動にて前方の景品取出し方向Ｚに押し出されて来る景品Ｗの上面を弾性的に押え込み状態で保持することによって、景品Ｗの高さ方向の調整を可能にしている。
【００４３】
これにより、景品Ｗの高さ方向の箱サイズが異なる場合でも、常に、扉２の景品取出口８の間口の下辺部８ａ側に押し付けられ、景品Ｗの先端部が扉２の景品取出口８から半分以上突出しても落下することなく抑止するように安定した姿勢を確保するようになっているとともに、景品Ｗの引き抜きによる景品取出し時のクリック感を持たせている。
【００４４】
また、ガイド板４２，４２は、例えば景品搬出機構３０にて左右に位置ずれ状態で景品取出し方向Ｚに押し出されて来る景品Ｗの先端が、「く」の字状に拡開させてなる後辺部４１ｂ，４１ｂ間に突き当たると、この後辺部４１ｂ，４１ｂ間で景品Ｗの位置ずれを中心に向け案内し調整するようになっている。
【００４５】
そして、景品Ｗの先端が更に景品取出し方向Ｚに押し出されると、図８に示すように、ガイド板４２，４２は、スプリング４３，４３の付勢力に抗して所定のストロークの範囲で左右に拡開移動しながら互いに平行に対峙させてなる前辺部４２ａ，４２ａにて景品Ｗの左右両側面部の２面を弾性的に挾持するようになっている。
【００４６】
このとき、景品Ｗは、ガイド板４２，４２の前辺部４２ａ，４２ａにて扉２の景品取出口８の間口に対して直角に保たれ、その幅方向の中心が常に扉２の景品取出口８の間口幅方向の中心に箱サイズに応じて一致するように安定した姿勢が確保される。これにより、異なる箱サイズの景品Ｗであっても、景品Ｗの先端側は、その上面及び左右両側面部の３面が板バネ４１と共に一時的に弾性的に挾持されて突出するようになっている。
【００４７】
次に、本発明に係る自動販売機における景品Ｗの搬出制御状態を図９に示すフローチャートに基づいて説明する。「＃１」の待機状態において、例えば機体１のコイン投入口等の金銭投入口５Ａへのコインの投入の有無、すなわち「コイン投入有りか？」が確認され、セレクションボタン（商品選択ボタン）４の操作の有無、すなわち「セレクションボタンＯＮか？」が確認される。
【００４８】
次いで、セレクションボタン４が「ＯＮ」と確認されると、景品Ｗの搬出（プレゼント）の設定が有るか否かの判断、すなわち「景品設定有りか？」の判断がなされる。
【００４９】
「景品設定有りか？」の段階で「ＹＥＳ」、すなわち「景品設定」が有る場合には、景品収納機構１０のストッカ２０に景品Ｗがストックされているか否か、すなわち「景品売り切れ信号ＯＦＦか？」が確認される。
【００５０】
景品の売り切れ信号が「ＯＦＦ」でストッカ２０に景品Ｗがストックされていると判断された場合は、景品Ｗの当たり確率の設定、すなわち「当たり確率計算」が行われる。次いで、この当たり確率に基づいて「当たり」か「はずれ」か否かの判断、すなわち「当たりか？」の判断がなされる。
【００５１】
そして、「当たりか？」の段階で「ＹＥＳ」、すなわち「当たり」と判断されると、「当たり確率計算」の段階で予め設定された当たり確率と変動確率が等しいか否か、すなわち「設定確率＝変動確率」の判断がなされる。
【００５２】
このとき、設定確率と変動確率が等しくない場合には、変動確率を設定確率に戻した後、「当たり信号」が「ディスプスレープ」を介して景品搬出機構３０に出力され、景品Ｗが扉２の景品取出口８に搬出され、同時に、通常の販売商品Ｓの「販売開始」が行われる。この販売商品Ｓの「販売開始」の状態は、「ベンドスレープ」にて制御される。
【００５３】
次いで、販売商品Ｓの販売が終了か否かの判断、すなわち「販売終了か？」の判断がなされ、販売商品Ｓの販売が終了の場合には、初期の「＃１」の待機状態に移行するように制御されている。
【００５４】
この「当たりか？」の段階で「ＮＯ」、すなわち「はずれ」と判断されたときには、そのまま販売商品Ｓの「販売開始」の段階に移行させることにより、通常の販売商品Ｓの販売が行われる。
【００５５】
また、「設定確率＝変動確率」の段階で「ＹＥＳ」、すなわち設定確率と変動確率が等しい場合には、変動確率を設定確率に戻さずに「当たり信号出力」に移行させることにより、「当たり信号」を「ディスプスレープ」を介して景品搬出機構３０にそのまま出力し、景品Ｗの搬出が行われようになっている。
【００５６】
さらに、「景品設定有りか？」の段階で「ＮＯ」、例えばキャンペーン期間が過ぎて、平常の「景品無し」の販売商品Ｓを行う際のように、「景品設定」が無い場合には、そのまま販売商品Ｓの「販売開始」の段階に移行する。
【００５７】
「景品売り切れ信号ＯＦＦか？」の段階で「ＯＮ」、すなわち、景品収納機構１０のストッカ２０に景品Ｗがストックされていない場合のような「景品売切れ状態」のときには、予め上限が設定された変動確率と、設定確率から変動させた確率（変動確率）との値の大きさの判断、すなわち、「確率上限＞変動確率」の判断がなされる。
【００５８】
この「確率上限＞変動確率」の段階で「ＹＥＳ」、すなわち変動確率よりも確率上限が高い場合には、そのまま販売商品Ｓの「販売開始」の段階に移行するようになっている。
【００５９】
一方、「確率上限＞変動確率」の段階で「ＮＯ」、すなわち変動確率よりも確率上限が低い場合には、変動確率を上げる。
【００６０】
例えば当たり確率を「１／１００」と設定したとき、景品売り切れ時に販売商品Ｓの販売が有った場合に、確率が販売毎に「１／９９」、「１／９８」・・・・・のように変動確率の分母の数値を下げる、すなわち「変動確率の分母をデクリメント」することにより、変動確率を上げて行くように制御されている。
【００６１】
すなわち、景品売り切れ時に販売商品Ｓの販売が有った場合には、当たり確率の計算を行うプログラムに信号を出して確率を変動させる。そして、景品Ｗがストッカ２０に補充された後は、その変動させた確率によって「当たり」か「はずれ」かの判断を行い、「当たり」が出た時点において、変動確率を元の設定値に戻すようになっているものである。
【００６２】
また、変動確率には上限値、例えば確率「１／８０」が設定されているため、景品売り切れ直後に販売商品Ｓの販売が有っても、景品Ｗの「当たり」が極端になることを防止するようになっている。この変動確率の上限値は、確率設定と同時に、例えばキーボード等の入力装置にて任意に設定することが可能である。
【００６３】
そして、このように設定された変動確率が上限値に達しても、未だ景品Ｗの売り切れ状態で販売商品Ｓの販売が続けられると、販売商品Ｓの販売数に応じた確率変動値での「当たり」の回数を増加して行くようになっている。
【００６４】
例えば当たり確率が１／１００で、変動確率の上限値が１／８０に設定したときに、景品売り切れ状態で販売商品Ｓの販売数が６０杯の販売が有ったと仮定すると、変動確率の上限値は、２０杯で１／８０であるから、６０杯／２０杯、すなわち３回の「当たり」が出るまで、変動確率の上限値１／８０で「当たり」を判断するようになっているものである。
【００６５】
さらに、景品付き販売を行うか否かを「景品設定有りか？」の段階で判断した後、景品売り切れ状態を「景品売り切れ信号ＯＦＦか？」の段階で判断するようになっているために、例えばキャンペーン等のイベント期間が終わり、景品付き販売を行っていない間、確率が変動することはない。
【００６６】
なお、本発明は、上記した実施形態には限定されず、本発明の要旨を免脱しない範囲で種々変更実施可能なことは云うまでもない。
【００６７】
【発明の効果】
以上の説明から明らかなように、本発明に係る自動販売機は、販売商品の購入時に、景品を予め設定された確率で搬出するようにするとともに、景品の品切れによる景品補充後の確率を変動させるようにしてなることから、従前のような購買者の不満を解消させることができ、これによって、消費者の購買意欲を大いに高めることができ、商品の拡販効果の向上を図ることができる。
【図面の簡単な説明】
【図１】本発明に係る自動販売機の一実施の形態を示す正面図。
【図２】同じく機体の扉を側面から見た概略的断面図。
【図３】同じく景品収納機構部及び景品搬出機構部を要部拡大断面にして示す景品の空ストック状態の概略的側面図。
【図４】同じく景品収納機構部及び景品搬出機構部を要部拡大断面にして示す景品の満杯ストック状態の概略的側面図。
【図５】同じく景品収納機構部及び景品搬出機構部を要部拡大断面にして示す景品補充時におけるストッカ開放状態の概略的側面図。
【図６】同じく景品搬出機構部を要部拡大断面にして示す概略的側面図。
【図７】同じく景品取出口における景品姿勢安定機構部を拡大して示す景品取出し前の概略的平面図。
【図８】同じく景品取出口における景品姿勢安定機構部を拡大して示す景品取出し状態の概略的平面図。
【図９】同じく販売商品及び景品の搬出制御状態を示すフローチャート。
【図１０】従来の自動販売機における販売商品及び景品の搬出制御状態を示すフローチャート。
【符号の説明】
１        機体
３        商品展示室
４        商品選択ボタン
５Ａ      金銭投入口
５Ｂ      投入金額表示器
７        商品取出口
８        非販売商品取出口（景品）
９        表示器（ランプ）
１０      非販売商品収納機構（景品収納機構）
３０      非販売商品搬出機構（景品搬出機構）
Ｓ        販売商品
Ｗ        非販売商品（景品）
【図１】
0003879292.tif 000002
【図２】
0003879292.tif 000003
【図３】
0003879292.tif 000004
【図４】
0003879292.tif 000005
【図５】
0003879292.tif 000006
【図６】
0003879292.tif 000007
【図７】
0003879292.tif 000008
【図８】
0003879292.tif 000009
【図９】
0003879292.tif 000010
【図１０】
0003879292.tif 000011